(57)【要約】  トランスポートブロック（ＴＢ）ベース及び／又はコードブロックグループ（ＣＢＧ）ベースの送信（再送を含む）及び／又は受信を適切に制御すること。本発明の一態様に係るユーザ端末は、一以上のコードブロック（ＣＢ）で構成されるＣＢＧが再送される場合、前記ＣＢＧのスケジューリングに用いられる下りリンク制御情報（ＤＣＩ）を受信する受信部と、前記ＤＣＩに基づいて、前記ＣＢＧの受信を制御する制御部と、を具備し、前記制御部は、前記ＣＢＧの再送原因に基づいて、前記ＣＢＧの復号を制御する。
2018203406.tif 000002
【特許請求の範囲】
【請求項１】
一以上のコードブロック（ＣＢ）で構成されるコードブロックグループ（ＣＢＧ）が再送される場合、前記ＣＢＧのスケジューリングに用いられる下りリンク制御情報（ＤＣＩ）を受信する受信部と、
前記ＤＣＩに基づいて、前記ＣＢＧの受信を制御する制御部と、を具備し、
前記制御部は、前記ＣＢＧの再送原因に基づいて、前記ＣＢＧの復号を制御することを特徴とするユーザ端末。
【請求項２】
前記制御部は、前記ＣＢＧの再送原因が他の送信によるパンクチャである場合、ソフトバッファ内で格納されるＣＢＧを廃棄し、前記ＣＢＧの再送原因が前記他の送信によるパンクチャではない場合、前記ＣＢＧとソフトバッファに格納されるＣＢＧとを合成することを特徴とする請求項１に記載のユーザ端末。
【請求項３】
前記制御部は、前記ＤＣＩ内の所定フィールド値に基づいて、又は、前記ＤＣＩのフォーマットに基づいて、又は、前記ＣＢＧがスケジューリングされるタイミングに基づいて、前記ＣＢＧの再送原因を決定することを特徴とする請求項１又は請求項２に記載のユーザ端末。
【請求項４】
前記ＤＣＩのフォーマットは、初回送信されるＣＢＧのスケジューリングに用いられるＤＣＩとは異なるフォーマット又は同一のフォーマットである、又は、トランスポートブロック（ＴＢ）のスケジューリングに用いられるＤＣＩとは異なるフォーマット又は同一のフォーマットであることを特徴とする請求項１から請求項３のいずれかに記載のユーザ端末。
【請求項５】
前記制御部は、所定の条件が満たされる場合、前記ＣＢＧを含むトランスポートブロック（ＴＢ）の再送にフォールバックされると想定することを特徴とする請求項１から請求項４のいずれかに記載のユーザ端末。
【請求項６】
ユーザ端末において、
一以上のコードブロック（ＣＢ）で構成されるコードブロックグループ（ＣＢＧ）が再送される場合、前記ＣＢＧのスケジューリングに用いられる下りリンク制御情報（ＤＣＩ）を受信する工程と、
前記ＤＣＩに基づいて、前記ＣＢＧの受信を制御する工程と、
前記ＣＢＧの再送原因に基づいて、前記ＣＢＧの復号を制御する工程と、を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０〜１３等ともいう）が仕様化され、ＬＴＥの後継システム（例えば、ＦＲＡ（Future  Radio  Access）、５Ｇ（5th  generation  mobile  communication  system）、ＮＲ（New  RAT：Radio  Access  Technology）、ＬＴＥ  Ｒｅｌ．１４〜などともいう）も検討されている。【０００３】
既存のＬＴＥシステム（例えば、Ｒｅｌ．１３以前）では、リンクアダプテーションとして、変調方式、トランスポートブロックサイズ（ＴＢＳ：Transport  Block  Size）、符号化率の少なくとも一つを適応的に変化させる適応変調符号化（ＡＭＣ：Adaptive  Modulation  and  Coding）が行われる。ここで、ＴＢＳとは、情報ビット系列の単位であるトランスポートブロック（ＴＢ：Transport  Block）のサイズである。１サブフレームには、一つ又は複数のＴＢが割り当てられる。【０００４】
また、既存のＬＴＥシステムでは、ＴＢＳが所定の閾値（例えば、６１４４ビット）を超える場合、ＴＢを一以上のセグメント（コードブロック（ＣＢ：Code  Block））に分割し、セグメント単位での符号化が行われる（コードブロック分割：Code  Block  Segmentation）。符号化された各コードブロックは連結されて、送信される。【０００５】
また、既存のＬＴＥシステムでは、ＴＢ単位で、ＤＬ信号及び／又はＵＬ信号の再送制御（ＨＡＲＱ：Hybrid  Automatic  Repeat  reQuest）が行われる。具体的には、既存のＬＴＥシステムでは、ＴＢが複数のＣＢに分割される場合であっても、ＴＢ単位で再送制御情報（ＡＣＫ（Acknowledge）又はＮＡＣＫ（Negative  ACK）（以下、Ａ／Ｎと略する）、ＨＡＲＱ−ＡＣＫ等ともいう）が送信される。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、５Ｇ、ＮＲなど）では、例えば、高速で大容量の通信（ｅＭＢＢ：enhanced  Mobile  Broad  Band）をサポートするため、既存のＬＴＥシステムよりも大きいＴＢＳを用いることも想定される。このような大きいＴＢＳのＴＢは、既存のＬＴＥシステムと比べて多くのＣＢ（例えば、１ＴＢあたり数十のＣＢ）に分割されることが想定される。【０００８】
このような将来の無線通信システムでは、ＴＢベースに加えて、一以上のＣＢを含むグループ（コードブロックグループ（ＣＢＧ：Code  Block  Group））ベースでの送信（又は再送）制御をサポートすることが検討されている。したがって、ＴＢベース及び／又はＣＢＧベースの送信（再送を含む）及び／又は受信を適切に制御するためのシグナリングが必要となる。【０００９】
本発明はかかる点に鑑みてなされたものであり、ＴＢベース及び／又はＣＢＧベースの送信（再送を含む）及び／又は受信を適切に制御可能なユーザ端末及び無線通信方法を提供することを目的の一つとする。
【課題を解決するための手段】
【００１０】
本発明の一態様に係るユーザ端末は、一以上のコードブロック（ＣＢ）で構成されるコードブロックグループ（ＣＢＧ）が再送される場合、前記ＣＢＧのスケジューリングに用いられる下りリンク制御情報（ＤＣＩ）を受信する受信部と、前記ＤＣＩに基づいて、前記ＣＢＧの受信を制御する制御部と、を具備し、前記制御部は、前記ＣＢＧの再送原因に基づいて、前記ＣＢＧの復号を制御することを特徴とする。
【発明の効果】
【００１１】
本発明によれば、ＴＢベース及び／又はＣＢＧベースの送信（再送を含む）及び／又は受信を適切に制御できる。
【図面の簡単な説明】
【００１２】
【図１】コードブロック分割が適用される場合の送信処理の一例を示す図である。
【図２】コードブロック分割が適用される場合の受信処理の一例を示す図である。
【図３】既存のＬＴＥシステムにおけるＤＬの再送制御の一例を示す図である。
【図４】第１の態様に係る初回送信及び再送の一例を示す図である。
【図５】第１の態様に係る初回送信及び再送の他の例を示す図である。
【図６】第２の態様に係る初回送信及び再送の一例を示す図である。
【図７】第２の態様に係る初回送信及び再送の他の例を示す図である。
【図８】第３の態様に係るＣＢＧの再送原因を示す所定フィールドの一例を示す図である。
【図９】図９Ａ及び９Ｂは、第３の態様に係るＣＢＧの再送原因を示す所定フィールドの他の例を示す図である。
【図１０】図１０Ａ及び１０Ｂは、第３の態様に係る再送ＣＢＧのスケジューリングの一例を示す図である。
【図１１】図１１Ａ及び１１Ｂは、第３の態様に係る再送ＣＢＧのスケジューリングの他の例を示す図である。
【図１２】本実施の形態に係る無線通信システムの概略構成の一例を示す図である。
【図１３】本実施の形態に係る無線基地局の全体構成の一例を示す図である。
【図１４】本実施の形態に係る無線基地局の機能構成の一例を示す図である。
【図１５】本実施の形態に係るユーザ端末の全体構成の一例を示す図である。
【図１６】本実施の形態に係るユーザ端末の機能構成の一例を示す図である。
【図１７】本実施の形態に係る無線基地局及びユーザ端末のハードウェア構成の一例を示す図である。
【発明を実施するための形態】
【００１３】
図１は、コードブロック分割（Code  block  segmentation）が適用される場合の送信処理の一例を示す図である。コードブロック分割とは、ＣＲＣ（Cyclic  Redundancy  Check）ビットが付加されたトランスポートブロック（以下、ＴＢと略する）（ＣＲＣビットを含む情報ビット系列）が所定の閾値（例えば、６１４４ビットまたは８１９２ビットなど）を超える場合、当該ＴＢを複数のセグメントに分割することである。コードブロック分割は、例えば、符号器が対応するサイズにＴＢＳを合わせるために行われ、上記所定の閾値は、符号器が対応する最大サイズと等しくともよい。
【００１４】
図１に示すように、送信側では、ＴＢサイズ（ＴＢＳ）が所定の閾値（例えば、６１４４ビットまたは８１９２ビットなど）を超える場合、当該ＣＲＣビットを含む情報ビット系列は、複数のセグメントに分割（segment）される。なお、セグメント＃１の先頭には、フィラービット（filler  bits）が付加されてもよい。
【００１５】
図１に示すように、各セグメントには、ＣＲＣビット（例えば、２４ビット）が付加され、所定の符号化率（例えば、１／３、１／４、１／８など）でチャネル符号化（例えば、ターボ符号化、低密度パリティ検査（ＬＤＰＣ：Low-Density  Parity-check  Code）符号化など）が行われる。チャネル符号化により、システマティックビットおよびパリティビット（たとえば、第１及び第２のパリティビット（＃１及び＃２））が、各コードブロック（以下、ＣＢと略する）のコードビットとして生成される。
【００１６】
ＣＢは、それぞれ所定の方法でインターリーブされ、スケジュールされたリソース量に見合った量のビット系列が選択され、送信される。例えば、システマティックビットの系列、第１のパリティビットの系列及び第２のパリティビットの系列は、それぞれ、個別にインターリーブされる（サブブロックインターリーブ）。その後、システマティックビットの系列、第１のパリティビットの系列及び第２のパリティビットの系列は、それぞれ、バッファ（サーキュラバッファ）に入力され、バッファからは、割り当てられたリソースブロックで使用可能なＲＥ数、冗長バージョン（ＲＶ：Redundancy  Version）に基づいて、各ＣＢのコードビットが選択される（レートマッチング）。複数のＣＢ間でインターリーブを行ってもよい。
【００１７】
選択されたコードビットで構成される各ＣＢは、コードワード（ＣＷ：Code  Word）として連結される。コードワードに対しては、スクランブリング、データ変調等が行われて、送信される。
【００１８】
図２は、コードブロック分割が適用される場合の受信処理の一例を示す図である。受信側では、ＴＢＳインデックスと、割り当てられたリソースブロック（例えば、ＰＲＢ：Physical  Resource  Block）の数とに基づいて、ＴＢＳが決定され、ＴＢＳに基づいて、ＣＢの数が決定される。
【００１９】
図２に示すように、受信側では、各ＣＢが復号され、各ＣＢに付加されたＣＲＣビットを用いて、各ＣＢの誤り検出を行う。また、コードブロック分割を元に戻し（undo）、ＴＢを復元する。さらに、ＴＢに付加されたＣＲＣを用いて、ＴＢ全体の誤り検出を行う。
【００２０】
既存のＬＴＥシステムの受信側では、当該ＴＢ全体の誤り検出結果に応じて、ＴＢ全体に対する再送制御情報（ＡＣＫ又はＮＡＣＫ、以下、Ａ／Ｎと略する、ＨＡＲＱ−ＡＣＫ等ともいう）が送信側に送信される。送信側では、受信側からのＮＡＣＫに応じて、ＴＢ全体を再送する。
【００２１】
図３は、既存のＬＴＥシステムにおけるＤＬ信号の再送制御の一例を示す図である。既存のＬＴＥシステムでは、ＴＢが複数のＣＢに分割されるか否かに関係なく、ＴＢ単位で再送制御が行われる。具体的には、ＴＢ毎にＨＡＲＱプロセスが割り当てられる。ここで、ＨＡＲＱプロセスは、再送制御の処理単位であり、各ＨＡＲＱプロセスは、ＨＡＲＱプロセス番号（ＨＰＮ）で識別される。ユーザ端末（ＵＥ：User  Equipment）には、一以上のＨＡＲＱプロセスが設定され、同一のＨＰＮのＨＡＲＱプロセスでは、ＡＣＫが受信されるまで同一データが再送される。
【００２２】
例えば、図３では、新規（初回）送信のＴＢ＃１に対してＨＰＮ＝０が割り当てられる。無線基地局（ｅＮＢ：eNodeB）は、ＮＡＣＫを受信するとＨＰＮ＝０で同じＴＢ＃１を再送し、ＡＣＫを受信するとＨＰＮ＝０で次のＴＢ＃２を初回送信する。
【００２３】
また、無線基地局は、ＴＢを送信するＤＬ信号（例えば、ＰＤＳＣＨ）を割り当てる下り制御情報（ＤＣＩ：Downlink  Control  Information）（ＤＬアサインメント）に、上記ＨＰＮと、新規データ識別子（ＮＤＩ：New  Data  Indicator）と、冗長バージョン（ＲＶ：Redundancy  Version）を含めることができる。
【００２４】
ここで、ＮＤＩは、初回送信又は再送のいずれかを示す識別子である。例えば、同一のＨＰＮにおいてＮＤＩがトグルされていない（前回と同じ値である）場合、再送であることを示し、ＮＤＩがトグルされている（前回と異なる値である）場合、初回送信であることを示す。
【００２５】
また、ＲＶとは、送信データの冗長化の違いを示す。ＲＶの値は、例えば、０、１、２、３であり、０は冗長化の度合いが最も低いため初回送信に用いられる。同一のＨＰＮの送信毎に異なるＲＶ値を適用することにより、ＨＡＲＱのゲインを効果的に得ることができる。
【００２６】
例えば、図３では、ＴＢ＃１の初回送信のＤＣＩには、ＨＰＮ「０」、トグルされたＮＤＩ、ＲＶ値「０」が含まれる。このため、ユーザ端末は、ＨＰＮ「０」が初回送信であることを認識でき、ＲＶ値「０」に基づいてＴＢ＃１を復号する。一方、ＴＢ＃１の再送時のＤＣＩには、ＨＰＮ「０」、トグルされていないＮＤＩ、ＲＶ値「２」が含まれる。このため、ユーザ端末は、ＨＰＮ「０」が再送であることを認識でき、ＲＶ値「２」に基づいてＴＢ＃１を復号する。ＴＢ＃２の初回送信時は、ＴＢ＃１の初回送信時と同様である。
【００２７】
以上のように、既存のＬＴＥシステムでは、コードブロック分割が適用されるか否かに関係なく、ＴＢ単位で再送制御が行われる。このため、コードブロック分割が適用される場合、ＴＢを分割して構成されるＣ個（Ｃ＞１）のＣＢの一部に誤りが偏っていたとしても、ＴＢ全体が再送される。
【００２８】
したがって、誤りが検出された（復号に失敗した）ＣＢだけでなく、誤りが検出されていない（復号に成功した）ＣＢも再送することとなり、性能（スループット）が低下する恐れがある。将来の無線通信システム（例えば、５Ｇ、ＮＲなど）では、ＴＢが多くのＣＢ（例えば、数十のＣＢ）に分割されるケースが増加することが想定されるため、ＴＢ単位の再送では、性能の低下が顕著になる恐れがある。
【００２９】
このような将来の無線通信システムでは、ＴＢベースに加えて、一以上のＣＢを含むコードブロックグループ（ＣＢＧ）ベースでの送信（又は再送）制御をサポートすることが検討されている。したがって、ＴＢベース及び／又はＣＢＧベースの送信（再送を含む）及び／又は受信を適切に制御するためのシグナリングが必要となる。
【００３０】
そこで、本発明者らは、ＴＢベース及び／又はＣＢＧベースの送信（再送を含む）及び／又は受信を適切に制御する方法を検討し、本発明に至った。具体的には、本発明者らは、初回送信及び再送間においてＤＣＩフォーマットを制御すること（第１の態様）、ＴＢ及びＣＢＧ間においてＤＣＩフォーマットを制御すること（第２の態様）、ＣＢＧの再送原因に基づいて再送ＣＢＧの復号を制御すること（第３の態様）、ＣＢＧベースからＴＢベースへのフォールバックを制御すること（第４の態様）を着想した。
【００３１】
以下、本発明の一実施の形態について図面を参照して詳細に説明する。以下、本実施の形態では、初回送信は、ＴＢベースで行われるものとするが、ＣＢＧベースで行われてもよい。再送は、ＣＢＧベースで行われてもよいし、又は、ＴＢベースで行われてもよい。
【００３２】
（第１の態様）
第１の態様では、初回送信時及び再送時のＤＣＩフォーマット（ＤＣＩ）の制御について説明する。第１の態様では、初回送信時及び再送時の間で、異なる（different）ＤＣＩフォーマットが用いられてもよいし、或いは、同一の（single）ＤＣＩフォーマットが用いられてもよい。
【００３３】
第１の態様において、ユーザ端末は、上位レイヤシグナリングによりＣＢＧベースの再送が設定されるスロットｎから所定期間ｘ（例えば、ｘ＝１、２、３、４…（スロット））後に、ＣＢＧベースの再送を適用する。ｘは、固定の値であってもよいし、所定の範囲内から端末が自由に設定可能な値であってもよい。
【００３４】
＜異なるＤＣＩフォーマット＞
図４は、第１の態様に係る初回送信及び再送の一例を示す図である。図４では、ＣＢＧベースの再送が上位レイヤシグナリングによりユーザ端末に設定されるものとする。例えば、図４では、ＴＢが３ＣＢＧ＃０〜＃２を含むものとする。
【００３５】
図４では、無線基地局（ｇＮＢ）は、初回送信用のＤＣＩフォーマットＸのＤＣＩを送信し、ＰＤＳＣＨを介してＣＢＧ＃０−＃２で構成されるＴＢの初回送信を行う。例えば、図４では、ユーザ端末は、初回送信されたＴＢ内のＣＢＧ＃２の復号に失敗するので、ＣＢＧ＃０及び＃１のＡＣＫ及びＣＢＧ＃２のＮＡＣＫを示すＨＡＲＱ−ＡＣＫビット（例えば、３ビット）を送信する。
【００３６】
無線基地局は、ユーザ端末からのＣＢＧ＃２のＮＡＣＫに応じて、再送用のＤＣＩフォーマットＹのＤＣＩを送信し、ＰＤＳＣＨを介してＣＢＧ＃２を再送する。例えば、図４では、ユーザ端末は、再送ＣＢＧ＃２の復号に成功するので、再送ＣＢＧ＃２のＡＣＫを示すＨＡＲＱ−ＡＣＫビット（例えば、１ビット）を送信する。
【００３７】
図４に示すように、初回送信用のＤＣＩフォーマットＸは、当該ＴＢに割り当てられるＨＡＲＱプロセスの番号（ＨＰＮ）を示すＨＰＮフィールドの値（ＨＰＮフィールド値）、及び／又は、当該ＴＢのＲＶを示すＲＶフィールドの値（ＲＶフィールド値）を含んでもよい。また、初回送信はＴＢ単位で行われるため、初回送信用のＤＣＩフォーマットＸは、当該ＴＢを構成する各ＣＢＧに関する情報（例えば、ＣＢＧインデックス）を含まなくともよい。
【００３８】
一方、再送はＣＢＧ単位で行われることが想定されるため、再送用のＤＣＩフォーマットＹは、再送されるＣＢＧを示す情報（ＣＢＧ情報）を含む。当該ＣＢＧ情報は、ＴＢ内のＣＢＧ数と等しいビット数のビットマップであってもよいし、又は、再送ＣＢＧのインデックス値を示す２進数であってもよい。例えば、図４に示すように、ＣＢＧ＃２が再送される場合、ＣＢＧ情報は、ビットマップ“００１”であってもよいし、又は、ＣＢＧインデックス＃２を示す２進数“０１０”であってもよい。
【００３９】
また、再送用のＤＣＩフォーマットＹは、再送ＣＢＧのＨＰＮを示すＨＰＮフィールド値、及び／又は、再送ＣＢＧのＲＶを示すＲＶフィールドを含んでもよい。ＨＰＮは、ＴＢ単位で割り当てられる（当該ＴＢを構成するＣＢ＃０〜＃２に共通である）ため、ＤＣＩフォーマットＹのＨＰＮフィールドは、初回送信時と同一のＨＰＮ（例えば、図４では、ＨＰＮ＝０）を示してもよい。また、ＲＶは、初回送信時とは異なる又は同一のＲＶが適用されてもよい。
【００４０】
図４に示すように、初回送信及び再送の間で異なるＤＣＩフォーマットＸ及びＹが用いられる場合、ＤＣＩフォーマットＸ及びＹは、初回送信又は再送のいずれかを示す識別子（ＮＤＩ）を含まなくともよい。一方、ユーザ端末は、ＤＣＩフォーマットＸ及びＹの双方を監視（ブラインド復号）する必要がある。
【００４１】
以上のように、初回送信及び再送の間で異なるＤＣＩフォーマットＸ及びＹが用いられる場合、ユーザ端末における監視（ブラインド復号）の処理量は増加するが、ＮＤＩフィールドが不要となるので、ＤＣＩのオーバーヘッドを削減できる。
【００４２】
なお、初回送信時及び再送時の間で異なるＤＣＩフォーマットを用いる場合、当該異なるＤＣＩフォーマットの複数のＤＣＩ（単に、異なるＤＣＩフォーマットともいう）は、（１）異なるリソース、（２）異なる送信方式（transmission  scheme）、（３）異なる参照信号（ＲＳ：Reference  Signal）の構成、（４）異なるマッピング方式の少なくとも用いて送信されてもよい。
【００４３】
（１）異なるリソースを用いる場合
初回送信時のＤＣＩフォーマットＸ及び再送時のＤＣＩフォーマットＹがそれぞれ送信される異なるリソースは、異なるサーチスペースであってもよいし、又は、異なる制御リソースセット（ＣＯＲＥＳＥＴ：control  resource  set）であってもよい。ＣＯＲＥＳＥＴは、コントロールサブバンド（control  subband）、制御リソース、又は制御領域等ともいう）と呼ばれてもよい。例えば、ＤＣＩフォーマットＸ及びＹが異なるサーチスペースで送信される場合、ユーザ端末は、各サーチスペースのブラインド復号に単一のＤＣＩフォーマット（ＤＣＩのペイロード）を想定することができる。
【００４４】
（２）異なる送信方式を用いる場合
例えば、初回送信時のＤＣＩフォーマットＸは、ユーザ端末固有のビームフォーミング及び／又はプリコーディングにより送信され、再送用のＤＣＩフォーマットＹは、送信ダイバーシチ（例えば、ビームサイクリング（beam-cycling）及び／又はプリコーダーサイクリング（precoder-cycling））により送信されてもよい。この場合、ユーザ端末は、ＤＣＩフォーマットＸ及びＹそれぞれの復調に異なる送信方式を想定してもよい。
【００４５】
（３）異なるＲＳ構成を用いる場合
ユーザ端末は、初回送信時のＤＣＩフォーマットＸ及び再送時のＤＣＩフォーマットＹそれぞれの復調に異なるＲＳ構成を想定してもよい。
【００４６】
（４）異なるマッピング方式を用いる場合
例えば、初回送信時のＤＣＩフォーマットＸは、分散マッピング（distributed  mapping）を用いて送信され、再送用のＤＣＩフォーマットＹは、局所マッピング（localized  mapping）を用いて送信されてもよい。この場合、初回送信の下り制御チャネルで周波数ダイバーシチ効果が得られるため、初回送信の品質を改善することができる。反対に、初回送信時のＤＣＩフォーマットＸは、局所マッピング（localized  mapping）を用いて送信され、再送用のＤＣＩフォーマットＹは、分散マッピング（distributed  mapping）を用いて送信されてもよい。この場合、初回送信はユーザごとに最適なリソースで送信するが、その送信が誤った場合に、周波数ダイバーシチ効果を得て品質を改善した制御信号を送信することができる。
【００４７】
なお、以上のような初回送信時のＤＣＩフォーマットＸ及び再送時のＤＣＩフォーマットＹの送信に関する情報（例えば、上記（１）リソース、（２）送信方式、（３）ＲＳ構成、（４）マッピング方式の少なくとも一つ）は、上位レイヤレイヤシグナリング（例えば、システム情報ブロック（ＳＩＢ）又はＲＲＣシグナリング）により、ユーザ端末に通知されてもよい。
【００４８】
＜同一のＤＣＩフォーマット＞
次に、初回送信及び再送の間で同一のＤＣＩフォーマットを用いる場合について説明する。図５は、第１の態様に係る初回送信及び再送の他の例を示す図である。図５では、ＣＢＧベースの再送が上位レイヤシグナリングによりユーザ端末に設定されるものとする。例えば、図５では、図４と同様に、ＴＢが３ＣＢＧ＃０〜＃２を含むものとする。以下では、図４との相違点を中心に説明する。
【００４９】
図５では、無線基地局（ｇＮＢ）は、初回送信用のＤＣＩフォーマットＡのＤＣＩを送信し、ＰＤＳＣＨを介してＣＢＧ＃０−＃２で構成されるＴＢの初回送信を行う。図５では、無線基地局は、ユーザ端末からのＣＢＧ＃２のＮＡＣＫに応じて、初回送信時と同一のＤＣＩフォーマットＡのＤＣＩを送信し、ＰＤＳＣＨを介してＣＢＧ＃２を再送する。
【００５０】
図５に示すように、初回送信及び再送に共通のＤＣＩフォーマットＡが用いられる場合、どのＣＢＧが再送されるかをユーザ端末に通知する必要がある。このため、初回送信及び再送に共通のＤＣＩフォーマットＡは、スケジューリングされたＣＢＧを示す情報（ＣＢＧ情報）を含む。当該ＣＢＧ情報は、ＴＢ内のＣＢＧ数と等しいビット数のビットマップであってもよいし、又は、スケジューリングされるＣＢＧのインデックス値を示す２進数であってもよい。
【００５１】
例えば、図５に示すように、ＣＢＧ＃０〜＃２を含むＴＢの初回送信時には、ＣＢＧ情報は、ビットマップ“１１１”であってもよいし、又は、ＣＢＧインデックス＃０、＃１、＃２を示す２進数“０００”、“００１”、“０１０”を含んでもよい。また、ＣＢＧ＃２の再送時には、ＣＢＧ情報は、ビットマップ“００１”であってもよいし、又は、ＣＢＧインデックス＃２を示す２進数“０１０”を含んでもよい。
【００５２】
また、図５に示すように、初回送信及び再送に共通のＤＣＩフォーマットＡは、ＨＰＮを示すＨＰＮフィールド値を含んでもよい。ＨＰＮは、ＴＢ単位で割り当てられる（当該ＴＢを構成するＣＢ＃０〜＃２に共通である）ため、ＤＣＩフォーマットＡのＨＰＮフィールドは、初回送信及び再送時で同一のＨＰＮ（例えば、図５では、ＨＰＮ＝０）を示してもよい。
【００５３】
また、初回送信及び再送に共通のＤＣＩフォーマットＡは、初回送信又は再送のいずれかを示す識別子（ＮＤＩ）を含む。図５に示すように、ＤＣＩフォーマットＡ内のＮＤＩは、初回送信の場合、トグル（toggled）され、再送の場合、トグルされなくともよい。具体的には、ＮＤＩは、初回送信の場合、同じＨＡＲＱプロセスの最新の値と比べて異なる値に設定され、再送の場合、同じＨＡＲＱプロセスの最新の値と同一値に設定されてもよい。
【００５４】
また、初回送信及び再送に共通のＤＣＩフォーマットＡは、スケジューリングされる一以上のＣＢＧのＲＶを示すＲＶフィールドを含んでもよい。当該ＲＶフィールドは、スケジューリングされる一以上のＣＢＧに共通のＲＶを示す単一のフィールドであってもよい。或いは、ＲＶフィールドは、スケジューリングされるＣＢＧ毎に設けられ、ＣＢＧ毎のＲＶを示してもよい。
【００５５】
以上のように、初回送信及び再送の間で共通のＤＣＩフォーマットＡが用いられる場合、初回送信及び再送を識別するためにＮＤＩが必要となるが、ユーザ端末が監視（ブラインド復号）するＤＣＩフォーマットの数が減るので、ユーザ端末における監視の処理量を削減できる。
【００５６】
また、初回送信及び再送の間で共通のＤＣＩフォーマットＡが用いられる場合、ＣＢＧベースからＴＢベースの再送にフォールバックする場合にも、ＤＣＩフォーマットの変更が不要であるので、ＴＢベースの再送に容易にフォールバックできる。例えば、図５では、ＣＢ＃０〜＃２がスケジューリングされることを示すＣＢＧ情報及びトグルされていないＮＤＩを含むＤＣＩフォーマットＡを用いることにより、ＴＢベースの再送にフォールバックできる。
【００５７】
第１の態様では、初回送信及び再送の間でＤＣＩフォーマットが制御されるので、ＴＢベース及び／又はＣＢＧベースの送信（再送を含む）及び／又は受信を適切に制御できる。
【００５８】
（第２の態様）
第２の態様では、ＴＢ及びＣＢＧのスケジューリングに用いられるＤＣＩフォーマット（ＤＣＩ）の制御について説明する。第２の態様では、ＴＢをスケジューリングする場合及びＣＢＧをスケジューリングする場合との間で、異なるＤＣＩフォーマットが用いられてもよいし、或いは、同一のＤＣＩフォーマットが用いられてもよい。以下では、第１の態様との相違点を中心に説明する。
【００５９】
＜異なるＤＣＩフォーマット＞
図６は、第２の態様に係る初回送信及び再送の一例を示す図である。図６では、ＣＢＧベースの再送が上位レイヤシグナリングによりユーザ端末に設定されるものとする。例えば、例えば、図６では、図４と同様に、ＴＢが３ＣＢＧ＃０〜＃２を含むものとする。以下では、図４との相違点を中心に説明する。
【００６０】
図６では、無線基地局（ｇＮＢ）は、ＴＢ用のＤＣＩフォーマットＢのＤＣＩを送信し、ＰＤＳＣＨを介してＣＢＧ＃０−＃２で構成されるＴＢの初回送信を行う。図６では、無線基地局は、ユーザ端末からのＣＢＧ＃２のＮＡＣＫに応じて、ＣＢＧ用のＤＣＩフォーマットＣを送信し、ＰＤＳＣＨを介してＣＢＧ＃２を再送する。
【００６１】
図６に示すように、ＤＣＩフォーマットＢは、一以上のＴＢのスケジューリングに用いられるため、当該ＴＢを構成する各ＣＢＧに関する情報（例えば、ＣＢＧインデックス）を含まなくともよい。一方、ＤＣＩフォーマットＣは、一以上のＣＢＧのスケジューリングに用いられるため、スケジューリングされたＣＢＧを示す情報（ＣＢＧ情報）を含む。ＣＢＧ情報の詳細は、図４のＤＣＩフォーマットＹと同様である。
【００６２】
図６に示すように、ＴＢ用のＤＣＩフォーマットＢ及びＣＢＧ用のＤＣＩフォーマットＣは、ＨＰＮを示すＨＰＮフィールド値、ＲＶを示すＲＶフィールドの値（ＲＶフィールド値）の少なくとも一つを含んでもよい。例えば、ＤＣＩフォーマットＢ及びＣのＨＰＮは、ＴＢ単位で割り当てられるＨＰＮ（ＣＢＧ＃０〜＃２に共通のＨＰＮ）を示してもよい。また、ＤＣＩフォーマットＢのＲＶフィールドは、ＴＢのＲＶを示してもよい。ＤＣＩフォーマットＣのＲＶフィールドは、ＴＢ単位のＲＶ（ＣＢＧ＃０〜＃２に共通のＲＶ）を示してもよいし、ＣＢＧ毎のＲＶを示してもよい。
【００６３】
ＣＢＧベースからＴＢベースの再送にフォールバックされる場合、再送ＴＢがスケジューリングされることも想定される。すなわち、あるＴＢの再送をＣＢＧベースで行った際に、さらに次の再送を、ＴＢベースの再送とすることも考えられる。このため、ＴＢ用のＤＣＩフォーマットＢは、初回送信又は再送を示すＮＤＩを含んでもよい。ＤＣＩフォーマットＢ内のＮＤＩは、初回送信の場合、トグル（toggled）され、再送の場合、トグルされなくともよい。
【００６４】
ユーザ端末は、ＤＣＩがＴＢ又はＣＢＧのいずれをスケジューリングするか（ＤＣＩフォーマットＢ又はＣのいずれであるか）を、（１）ＤＣＩのペイロード、（２）送信リソースの少なくとも一つを用いて識別してもよい。
【００６５】
（１）ＤＣＩのペイロードを用いる場合
ユーザ端末は、ＤＣＩフォーマットＢ及びＣの間でＤＣＩのペイロードが異なる場合、当該ＤＣＩのペイロードに基づいてＤＣＩフォーマットＢ又はＣを識別してもよい。この場合、どのＣＢＧが再送されるかは、ＤＣＩフォーマットＣ内のＣＢＧ情報により明示的に指示されてもよい。
【００６６】
（２）送信リソースを用いる場合
ユーザ端末は、ＤＣＩフォーマットＢ及びＣの間でＤＣＩの送信リソース（例えば、サーチスペース、又は、ＣＯＲＥＳＥＴ）が異なる場合、当該送信リソースに基づいて、ＤＣＩフォーマットＢ又はＣを識別してもよい。
【００６７】
以上のように、ＴＢをスケジューリングする場合及びＣＢＧをスケジューリングする場合の間で異なるＤＣＩフォーマットＢ及びＣが用いられる場合、ＣＢＧベースからＴＢベースの再送にフォールバック（ＣＢＧベースの再送を行ったデータについて、その次の更なる再送を、ＴＢベースとする）する場合にも、ＤＣＩフォーマットを変更するだけで、容易にフォールバックできる。例えば、図６では、トグルされていないＮＤＩを含むＤＣＩフォーマットＢを用いることにより、ユーザ端末は、当該再送がＴＢベースの再送であることを認識（フォールバック）できる。
【００６８】
＜同一のＤＣＩフォーマット＞
次に、ＴＢをスケジューリングする場合及びＣＢＧをスケジューリングする場合の間で同一のＤＣＩフォーマットを用いる場合について説明する。図７は、第２の態様に係る初回送信及び再送の他の例を示す図である。図７では、ＣＢＧベースの再送が上位レイヤシグナリングによりユーザ端末に設定されるものとする。例えば、図７では、図４と同様に、ＴＢが３ＣＢＧ＃０〜＃２を含むものとする。以下では、図５との相違点を中心に説明する。
【００６９】
図７では、無線基地局（ｇＮＢ）は、ＴＢ用のＤＣＩフォーマットＤのＤＣＩを送信し、ＰＤＳＣＨを介してＣＢＧ＃０−＃２で構成されるＴＢの初回送信を行う。図７では、無線基地局は、ユーザ端末からのＣＢＧ＃２のＮＡＣＫに応じて、ＣＢＧ＃２のスケジューリングをするためにＴＢのスケジューリングと同一のＤＣＩフォーマットＤのＤＣＩを送信し、ＰＤＳＣＨを介してＣＢＧ＃２を再送する。
【００７０】
図７に示すように、ＴＢをスケジューリングする場合とＣＢＧをスケジューリングする場合とに同一のＤＣＩフォーマットＤが用いられる場合、ＴＢ又はＣＢＧのいずれがスケジューリングされるかを示す識別情報（フラグ又は識別フラグ等ともいう）が必要となる。このため、図７に示すように、ＴＢをスケジューリングするＤＣＩフォーマットＤには、ＴＢを示すフラグ（例えば、１ビット値“０”）が含まれ、ＣＢＧ＃２をスケジューリングするＤＣＩフォーマットＤには、ＣＢＧを示すフラグ（例えば、１ビット値“１”）が含まれてもよい。
【００７１】
また、図７において、ＤＣＩフォーマットＤがＣＢＧのスケジューリングに用いられる場合、どのＣＢＧがスケジューリングされるか否かを示すＣＢＧ情報がＤＣＩフォーマットＤに含まれてもよいし、含まれなくともよい。ＤＣＩフォーマットＤにＣＢＧ情報が含まれない場合、スケジューリングされるＣＢＧは、黙示的に示されてもよい。
【００７２】
例えば、スケジューリングされるＣＢＧを黙示的に示す場合、サーチスペース（ＳＳ）、ＲＮＴＩ（Radio  Network  Temporary  Identifier）、アグリゲーションレベルの少なくとも一つを用いて、スケジューリングされるＣＢＧが示されてもよい。
【００７３】
以上のように、ＴＢをスケジューリングする場合及びＣＢＧをスケジューリングする場合の間で同一のＤＣＩフォーマットＤが用いられる場合、ユーザ端末が監視（ブラインド復号）するＤＣＩフォーマットの数が減るので、ユーザ端末における監視の処理量を削減できる。
【００７４】
また、ＣＢＧベースからＴＢベースの再送にフォールバック（ＣＢＧベースの再送を行ったデータについて、その次の更なる再送を、ＴＢベースとする）する場合にも、ＤＣＩフォーマットの変更が不要であるので、容易にフォールバックできる。例えば、図７では、ＴＢがスケジューリングされることを示すフラグ及びトグルされていないＮＤＩを含むＤＣＩフォーマットＤを用いることにより、ユーザ端末は、当該再送がＴＢベースの再送であることを認識（フォールバック）できる。
【００７５】
第２の態様では、ＴＢをスケジューリングする場合及びＣＢＧをスケジューリングする場合の間でＤＣＩフォーマットが制御されるので、ＴＢベース及び／又はＣＢＧベースの送信（再送を含む）及び／又は受信を適切に制御できる。
【００７６】
（第３の態様）
第３の態様では、ＣＢＧの再送原因（ユーザ端末における復号失敗の原因）に応じた再送ＣＢＧの受信制御について説明する。ＣＢＧの再送（復号失敗）は、（１）ＴＢ内の一部のＣＢ／ＣＢＧで熱雑音や干渉、適応制御ミスにより誤りが発生する場合（非相関エラー）、又は、（２）当該データとは異なる他の送信が当該データに割り当てられたリソースの一部に割り当てられ、その結果、当該データが割り当てられたリソースの一部がパンクチャ（書き換えられた）場合などの場合に好適である。すなわち、ＣＢＧの再送原因は、これらにより生じることが想定される。
【００７７】
（１）ＴＢ内の非相関エラーは、例えば、高速通信時などに、ＴＢ内の少数のＣＢＧ（例えば、１ＣＢＧ）について生じることが想定される。ユーザ端末は、非相関エラーにより復号に失敗したＣＢＧをソフトバッファに格納する。ユーザ端末は、当該ＣＢＧが再送される場合、再送ＣＢＧと、ソフトバッファに格納されるＣＢＧとを合成してもよい。ソフトバッファに格納されるＣＢＧは誤りを含むものの同じＴＢ内のデータであるため、再送ＣＢＧとの合成により受信品質を向上させることができる。
【００７８】
一方、（２）他の送信によるＴＢの一部のパンクチャは、例えば、ショートＴＴＩによるプリエンプション（pre-emption）による生じることが想定される。パンクチャにより復号に失敗したＣＢＧは、同じＴＢ内のデータではない（他の送信のデータである）ため、再送ＣＢＧと合成しても受信品質の向上に有効ではない。このため、ユーザ端末は、パンクチャにより復号に失敗したＣＢＧがソフトバッファに格納される場合、当該ＣＢＧを廃棄（discard）（フラッシュ（flush）等ともいう）し、当該ＣＢＧと合成せずに、再送ＣＢＧを復号する。
【００７９】
このように、ＣＢＧの再送原因（復号失敗の原因）により、ユーザ端末における再送ＣＢＧの復号制御は異なることが望ましい。このため、第３の態様では、ユーザ端末は、ＣＢＧの再送原因（復号失敗の原因又はＣＢＧエラーの原因等ともいう）に基づいて、再送ＣＢＧの復号を制御する。
【００８０】
具体的には、ユーザ端末は、ＣＢＧの再送原因がパンクチャである場合、ソフトバッファに格納されていたＣＢＧを破棄して、当該再送ＣＢＧを復号してもよい。一方、ユーザ端末は、ＣＢＧの再送原因が非相関エラーである場合、ソフトバッファに格納されていたＣＢＧと当該再送ＣＢＧを合成して、当該再送ＣＢＧを復号してもよい。
【００８１】
第３の態様において、再送原因が異なる複数の再送ＣＢＧは、同一のＤＣＩフォーマットのＤＣＩを用いてスケジューリングされてもよいし、或いは、異なるＤＣＩフォーマットのＤＣＩを用いてスケジューリングされてもよいし、或いは、異なるタイミングでスケジューリングされてもよい。
【００８２】
＜同一のＤＣＩフォーマット＞
再送原因が異なる複数の再送ＣＢＧ間で同一（共通の）のＤＣＩフォーマットのＤＣＩが用いられる場合、当該ＤＣＩフォーマットのＤＣＩは、ＣＢＧ毎の再送原因を示す所定フィールド値を含んでもよい。ユーザ端末は、当該所定フィールド値に基づいて、ＣＢＧの再送原因を認識する。当該所定フィールド値は、新たなフィールドの値であってもよいし、既存のフィールド（例えば、ＲＶフィールド）の値であってもよい。
【００８３】
≪新たなフィールドを用いる場合≫
図８は、第３の態様に係るＣＢＧの再送原因を示す所定フィールドの一例を示す図である。図８に示すように、ＣＢＧ毎の再送原因を示す１ビットの新たなフィールド（例えば、再送原因フィールド）が導入されてもよい。例えば、図８では、再送原因フィールド値“０”が、（２）他の送信によるパンクチャを示し、再送原因フィールド値“１”が、（１）非相関エラーを示す。
【００８４】
ユーザ端末は、ＤＣＩ内の再送原因フィールド値が“０”である場合、ソフトバッファ内のＣＢＧを破棄して、当該ＤＣＩによりスケジューリングされる再送ＣＢＧを復号する。破棄されるソフトバッファ内のＣＢＧは、当該ＤＣＩ（例えば、当該ＤＣＩ内のＣＢＧインデックス）により指示されてもよい。
【００８５】
一方、ユーザ端末は、ＤＣＩ内の再送原因フィールド値が“１”である場合、ソフトバッファ内のＣＢＧと、当該ＤＣＩによりスケジューリングされる再送ＣＢＧを合成して、当該再送ＣＢＧを復号してもよい。再送ＣＢＧと合成されるソフトバッファ内のＣＢＧは、当該ＤＣＩ（例えば、当該ＤＣＩ内のＣＢＧインデックス）により指示されてもよい。
【００８６】
なお、再送ＣＢＧのスケジューリングに用いられるＤＣＩのフォーマットは、再送原因に係わらず、復号に失敗したＣＢＧのスケジューリングに用いられるＤＣＩのフォーマットと同一であってもよい。
【００８７】
また、再送原因フィールドが導入される場合、全てのＣＢＧに共通の単一のＲＶフィールドがＤＣＩ内に設けられてもよい。再送原因フィールド値が“０”である場合、ユーザ端末は、ＤＣＩ内のＲＶフィールド値を無視して、再送ＣＢＧのＲＶが０であると想定してもよい。一方、再送原因フィールド値が“１”である場合、ユーザ端末は、ＤＣＩ内のＲＶフィールド値が再送ＣＢＧのＲＶを示すと想定してもよい（ＲＶフィールド値が示すＲＶを再送ＣＢＧに適用してもよい）。
【００８８】
また、同一のＤＣＩ内において異なる再送原因を示す複数の再送ＣＢＧがスケジューリングされてもよい。例えば、再送原因フィールド値が“０”であるＣＢＧ＃０と再送原因フィールド値が“１”であるＣＢＧ＃Ｘとが同一のＤＣＩによりスケジューリングされてもよい。
【００８９】
図８に示すように、再送原因フィールドが新たにＤＣＩ内に導入される場合、ＤＣＩのペイロードは増加するが、ユーザ端末における再送ＣＢＧの復号制御を容易に行うことができる。
【００９０】
≪既存のフィールドを用いる場合≫
図９は、第３の態様に係るＣＢＧの再送原因を示す所定フィールドの一例を示す図である。図９では、既存のＲＶフィールドが、ＣＢＧの再送原因（復号失敗の原因又はＣＢＧエラーの原因）を示す。この場合、ＲＶフィールドは、ＣＢＧ毎に設けられてもよい。図９Ａでは、２ビットのＲＶフィールドが示され、図９Ｂでは、１ビットのＲＶフィールドが示される。なお、ＲＶフィールドのビット数は、１又は２ビットに限られず、３ビット以上であってもよい。
【００９１】
図９Ａに示すように、２ビットのＲＶフィールド値は、ＲＶ値及びＣＢＧの再送原因に関連付けられてもよい。例えば、図９Ａでは、ＲＶフィールド値“００”は、ＲＶ０を示すとともに、再送原因が他の送信によるパンクチャであることを示してもよい。パンクチャの場合、再送ＣＢＧはＲＶ０であると想定されるためである。また、ＲＶフィールド値“０１”、“１０”及び“１１”は、それぞれ、ＲＶ１、ＲＶ２、ＲＶ３を示すとともに、再送原因が非相関エラーであることを示してもよい。
【００９２】
同様に、図９Ｂでは、１ビットのＲＶフィールド値は、ＲＶ値及びＣＢＧの再送原因に関連付けられてもよい。例えば、図９Ｂでは、ＲＶフィールド値“０”は、ＲＶ０を示すとともに、再送原因が他の送信によるパンクチャであることを示してもよい。また、ＲＶフィールド値“１”は、ＲＶ１、ＲＶ２又はＲＶ３のいずれかを示すとともに、再送原因が非相関エラーであることを示してもよい。
【００９３】
ユーザ端末は、ＲＶフィールド値が“００”（図９Ａ）又は“０”（図９Ｂ）である場合、ソフトバッファ内のＣＢＧを破棄して、当該ＤＣＩによりスケジューリングされる再送ＣＢＧを復号する。破棄されるソフトバッファ内のＣＢＧは、当該ＤＣＩ（例えば、当該ＤＣＩ内のＣＢＧインデックス）により指示されてもよい。
【００９４】
一方、ユーザ端末は、ＤＣＩ内の再送原因フィールド値が“０１”、“１０”又は“１１”のいずれか（図９Ａ）、又は“１” （図９Ｂ）である場合、ソフトバッファ内のＣＢＧと、当該ＤＣＩによりスケジューリングされる再送ＣＢＧを合成して、当該再送ＣＢＧを復号してもよい。再送ＣＢＧと合成されるソフトバッファ内のＣＢＧは、当該ＤＣＩ（例えば、当該ＤＣＩ内のＣＢＧインデックス）により指示されてもよい。
【００９５】
なお、再送ＣＢＧのスケジューリングに用いられるＤＣＩのフォーマットは、再送原因に係わらず、復号に失敗したＣＢＧのスケジューリングに用いられるＤＣＩのフォーマットと同一であってもよい。
【００９６】
また、同一のＤＣＩ内において異なる再送原因を示す複数の再送ＣＢＧがスケジューリングされてもよい。例えば、ＲＶフィールド値が“０”であるＣＢＧ＃０とＲＶフィールド値が“１”であるＣＢＧ＃Ｘとが同一のＤＣＩによりスケジューリングされてもよい。
【００９７】
図９に示すように、ＣＢＧ毎のＲＶフィールド値によりＣＢＧの復号の再送原因を示す場合、ＣＢＧの再送原因を示す新たなフィールドを導入する場合と比較して、ＤＣＩのオーバーヘッドを削減できる。
【００９８】
なお、ユーザ端末は、ＲＶフィールド値に応じてソフトバッファ内のＣＢＧを合成するか破棄するか、の制御を変更することを、上位レイヤシグナリングから指示されるものとしてもよい。すなわち、ユーザ端末は、上位レイヤリグナリングにより前記制御を設定（configure）されていない場合、ＲＶフィールドの値に関わらず、ソフトバッファのＣＢＧと再送されたＣＢＧを合成し、前記制御が設定されている場合は、ＲＶフィールドの値に応じて合成又は破棄を選択する。当該上位レイヤシグナリングは、ＣＢＧベースの再送制御を設定する上位レイヤシグナリングとは別であってもよい。この場合、より柔軟にＣＢＧベースの再送制御を行うことができる。または、ＣＢＧベースの再送制御が上位レイヤシグナリングで設定された場合、ユーザ端末は、ＲＶフィールドの値に応じて合成又は破棄を選択する制御を行うものとしてもよい。この場合、上位レイヤシグナリングのオーバーヘッドを削減できる。
【００９９】
＜異なるＤＣＩフォーマット＞
再送原因が異なる複数の再送ＣＢＧ間で異なるＤＣＩフォーマットのＤＣＩが用いられる場合、ユーザ端末は、ＤＣＩフォーマットに基づいて、ＣＢＧの再送原因を認識する。非相関エラーを原因とする再送ＣＢＧのスケジューリングに用いられるＤＣＩフォーマットＺ１は、ＲＶフィールドを含み、他の送信によるパンクチャを原因とする再送ＣＢＧのスケジューリングに用いられるＤＣＩフォーマットＺ２は、ＲＶフィールドを含まなくともよい。
【０１００】
なお、ユーザ端末は、ＤＣＩフォーマットＺ１とＤＣＩフォーマットＺ２のモニタリングを行うことを、上位レイヤシグナリングから指示されるものとしてもよい。すなわち、ユーザ端末は、上位レイヤリグナリングにより前記制御を設定（configure）されていない場合、ＤＣＩフォーマットＺ１とＤＣＩフォーマットＺ２のモニタリングし、いずれのＤＣＩフォーマットを検出したかに応じて、ソフトバッファのＣＢＧと再送されたＣＢＧを合成するか破棄するかを選択する。当該上位レイヤシグナリングは、ＣＢＧベースの再送制御を設定する上位レイヤシグナリングとは別であってもよい。この場合、より柔軟にＣＢＧベースの再送制御を行うことができる。または、ＣＢＧベースの再送制御が上位レイヤシグナリングで設定された場合、端末は、ＲＶフィールドの値に応じて合成又は破棄を選択する制御を行うものとしてもよい。この場合、上位レイヤシグナリングのオーバーヘッドを削減できる。
【０１０１】
図１０は、第３の態様に係る再送ＣＢＧのスケジューリングの一例を示す図である。図１０では、ＣＢＧベースの再送が上位レイヤシグナリングによりユーザ端末に設定されるものとする。例えば、図１０Ａでは、初回送信されたＣＢＧ＃２が非相関エラーにより復号に失敗するものとする。一方、図１０Ｂでは、初回送信されたＣＢＧ＃２がパンクチャにより復号に失敗にするものとする。
【０１０２】
図１０Ａに示すように、非相関エラーを原因とする再送ＣＢＧ＃２は、ＤＣＩフォーマットＺ１によりスケジューリングされてもよい。当該ＤＣＩフォーマットＺ１は、ＲＶフィールドを含み、当該ＲＶフィールドの値は、非相関エラーによる一以上の再送ＣＢＧに共通のＲＶを示してもよい。例えば、図１０Ａでは、ＤＣＩフォーマットＺ１内のＲＶフィールド値が、再送ＣＢＧ＃２に適用されるＲＶ２を示す。
【０１０３】
図１０Ａにおいて、ユーザ端末は、ＤＣＩフォーマットＺ１を検出すると、ソフトバッファに格納されたＣＢＧ＃２と、ＤＣＩフォーマットＺ１によりスケジューリングされた再送ＣＢＧ＃２を合成する。これにより、再送ＣＢＧ＃２の受信品質を向上させることができる。
【０１０４】
図１０Ｂに示すように、パンクチャを原因とする再送ＣＢＧ＃２は、ＤＣＩフォーマットＺ２によりスケジューリングされてもよい。当該再送ＣＢＧ＃２のＲＶは０であるので、当該ＤＣＩフォーマットＺ２は、ＲＶフィールドを含まなくともよい。
【０１０５】
図１０Ｂにおいて、ユーザ端末は、ＤＣＩフォーマットＺ２を検出すると、ソフトバッファに格納されたＣＢＧ＃２を破棄し、ＤＣＩフォーマットＺ２によりスケジューリングされた再送ＣＢＧ＃２を復号する。これにより、他の通信のデータと再送ＣＢＧ＃２が合成されるのを回避できる。
【０１０６】
図１０Ａ及び１０Ｂにおいて、ユーザ端末は、ＤＣＩフォーマットのペイロードに基づいてＣＢＧの再送原因を認識してもよい。上述のように、ＤＣＩフォーマットＺ１及びＺ２は異なるペイロードを有することが想定されるため、ユーザ端末は、ＤＣＩフォーマットのペイロードに基づいて、ＣＢＧの再送原因を識別してもよい。
【０１０７】
或いは、ユーザ端末は、ＤＣＩの検出リソース（例えば、ＤＣＩが検出されるサーチスペース及び／又はＣＯＲＥＳＥＴ）に基づいてＣＢＧの再送原因を認識してもよい。この場合、ＤＣＩフォーマットＺ１及びＺ２のＤＣＩは、それぞれ異なるサーチスペース及び／又は異なるＣＯＲＥＳＥＴに配置されてもよい。
【０１０８】
＜異なるタイミング＞
再送原因が異なる複数の再送ＣＢＧがそれぞれ異なるタイミングでスケジューリングされる場合、ユーザ端末は、再送ＣＢＧがスケジューリングされるタイミングに基づいて、ＣＢＧの再送原因を認識する。
【０１０９】
例えば、所定のタイミングＴまでに再送ＣＢＧがスケジューリング（送信）される場合、ユーザ端末は、他の通信によるパンクチャを原因とすることを認識し、当該所定のタイミングＴ後に再送ＣＢＧがスケジューリングされる場合、ユーザ端末は、非相関エラーを原因とすることを認識してもよい。
【０１１０】
図１１は、第３の態様に係る再送ＣＢＧのスケジューリングの他の例を示す図である。図１１では、ＣＢＧベースの再送が上位レイヤシグナリングによりユーザ端末に設定されるものとする。例えば、図１１Ａでは、初回送信されたＣＢＧ＃２がパンクチャにより復号に失敗するものとする。一方、図１１Ｂでは、初回送信されたＣＢＧ＃２が非相関エラーにより復号に失敗にするものとする。
【０１１１】
図１１Ａに示すように、所定のタイミングＴより前に再送ＣＢＧがスケーリングされる場合、ユーザ端末は、ソフトバッファに格納されたＣＢＧ＃２を破棄し、再送ＣＢＧ＃２を復号する。
【０１１２】
当該所定のタイミングＴは、ＨＡＲＱ−ＡＣＫのフィードバックタイミングに基づいて決定されてもよい。例えば、所定のタイミングＴは、復号に失敗するＣＢＧをスロットｎで受信する場合、ＨＡＲＱ−ＡＣＫのフィードバックバタイミングと同一のスロットｎ＋ｋ（ｋ≧０）であってもよいし、或いは、スロットｎ＋ｋ＋αであってもよい。ここで、α≧０であり、ＨＡＲＱ−ＡＣＫのフィードバックタイミングに対する所定のオフセットである。
【０１１３】
図１１Ａに示すように、パンクチャによる復号失敗の場合、無線基地局は、ユーザ端末からのＨＡＲＱ−ＡＣＫビットを待たずに、パンクチャされたＣＢＧ＃２を再送することが想定される。このため、ユーザ端末は、ＨＡＲＱ−ＡＣＫのフィードバックタイミングに基づく所定のタイミングＴより前に再送ＣＢＧ＃２がスケジューリングされる場合、ＣＢＧ＃２の再送原因がパンクチャによるものであると認識し、ソフトバッファに格納されるＣＢＧ＃２を破棄してもよい。
【０１１４】
一方、図１１Ｂに示すように、所定のタイミングＴ以後に再送ＣＢＧがスケーリングされる場合、ユーザ端末は、ソフトバッファに格納されたＣＢＧ＃２と再送ＣＢＧ＃２を合成して、再送ＣＢＧ＃２を復号する。
【０１１５】
図１１Ｂに示すように、非相関エラーによる復号失敗の場合、無線基地局は、ユーザ端末からのＨＡＲＱ−ＡＣＫビットがＮＡＣＫを示す場合に、ＮＡＣＫを示すＣＢＧ＃２を再送する。このため、ユーザ端末は、ＨＡＲＱ−ＡＣＫのフィードバックタイミングに基づく所定のタイミングＴ以後に再送ＣＢＧ＃２がスケジューリングされる場合、ＣＢＧ＃２の再送原因が非相関エラーによるものであると認識し、ソフトバッファに格納されるＣＢＧ＃２と再送ＣＢＧ＃２とを合成してもよい。
【０１１６】
図１１Ａ及び１１Ｂに示すように、ユーザ端末が、再送ＣＢＧがスケジューリングされるタイミングＴに基づいてＣＢＧの再送原因を認識する場合、再送原因が異なる複数の再送ＣＢＧを同一のＤＣＩフォーマットにＤＣＩを用いてスケジューリングできる。なお、図１１では、単一のＤＣＩを用いて再送原因が異なる複数の再送ＣＢＧをスケジューリングすることは想定されない。
【０１１７】
＜ＣＢＧの破棄＞
第３の態様では、再送原因がパンクチャである場合、ソフトバッファ内のＣＢＧが破棄されるものとして説明した。しかしながら、再送ＣＢＧがスケジューリングされる場合、ユーザ端末は、再送原因に関わらず、ソフトバッファ内の対応するＣＢＧを破棄（フラッシュ）してもよい。
【０１１８】
再送ＣＢＧをスケジューリングするＤＣＩは、再送ＣＢＧの識別情報を明示的又は黙示的に含んでもよい。再送原因に関係なく、ソフトバッファ内のＣＢＧが破棄される場合は、再送ＣＢＧをスケジューリングするＤＣＩ内のＲＶフィールドは、ＴＢ内の全てのＣＢＧに共通であってもよい。また、ＲＶフィールド値が示すＲＶは０に固定されてもよく、或いは、ＲＶフィールドは省略されてもよい。
【０１１９】
また、当該ＤＣＩ内のＮＤＩフィールドは、ＴＢ内の全てのＣＢＧに共通であってもよい。上述のように、初回送信の場合、ＮＤＩは、同じＨＡＲＱプロセスの最新値と異なる値に設定（トグル）され、再送の場合、ＮＤＩは、同じＨＡＲＱプロセスの最新値と同じ値に設定される（トグルされない）。
【０１２０】
また、ユーザ端末は、ソフトバッファから、前の送信（又は再送信）までの対応する全てのＣＢＧを破棄してもよい。
【０１２１】
以上の第３の態様では、ユーザ端末は、ＣＢＧの再送原因に基づいて、再送ＣＢＧの復号が制御されるので、パンクチャによる他の送信のデータと再送ＣＢＧとが誤って合成されるのを防止できる。
【０１２２】
（第４の態様）
第４の態様では、ＣＢＧベースからＴＢベースの再送へのフォールバック制御について説明する。
【０１２３】
ＣＢＧベースの再送がユーザ端末に設定される場合、ユーザ端末は、所定の条件に基づいて、ＣＢＧベースの再送からＴＢベースの再送にフォールバックしてもよい。例えば、ユーザ端末は、以下の（１）〜（４）の少なくとも一つの場合において、ＴＢベースの再送にフォールバックされると想定してもよい。
（１）ＤＣＩによりＴＢベースの再送が指示される場合
（２）ＤＣＩが一以上のユーザ端末に共通のサーチスペース（共通サーチスペース又はグループサーチスペース等ともいう）により検出される場合
（３）ＴＢ内の全ＣＢＧそれぞれのＡＣＫが認識されるが、ＴＢのＮＡＣＫが認識される場合（無線基地局における一以上のＣＢＧのNACK-to-ACKエラーが発生する場合）
（４）初回送信時のＴＢ内のＣＢＧ数が１である場合
【０１２４】
また、ユーザ端末は、上記（１）〜（４）の少なくとも一つの場合において、ＴＢ全体の復号結果に基づくＡＣＫ又はＮＡＣＫを生成して、フィードバックしてもよい。また、ユーザ端末は、ＴＢベースの再送にフォールバックされる場合、ソフトバッファ内のＴＢを破棄（フラッシュ）してもよいし、又は、破棄しなくともよい。
【０１２５】
第４の態様では、所定の条件に基づいてＣＢＧベースの再送がＴＢベースの再送にフォールバックされるので、ＣＢＧベースの再送がユーザ端末に設定される場合でも、ＴＢレベルでの適切な制御を行うことができる。
【０１２６】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、組み合わせて適用されてもよい。
【０１２７】
図１２は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT）などと呼ばれても良い。
【０１２８】
図１２に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間で異なるニューメロロジーが適用される構成としてもよい。なお、ニューメロロジーとは、あるＲＡＴにおける信号のデザインを特徴付ける通信パラメータのセットのことをいう。
【０１２９】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【０１３０】
また、ユーザ端末２０は、各セルで、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成タイプ２）、ＦＤＤキャリア（フレーム構成タイプ１）等と呼ばれてもよい。
【０１３１】
また、各セル（キャリア）では、相対的に長い時間長（例えば、１ｍｓ）を有するサブフレーム（ＴＴＩ、通常ＴＴＩ、ロングＴＴＩ、通常サブフレーム、ロングサブフレーム、スロット等ともいう）、又は、相対的に短い時間長を有するサブフレーム（ショートＴＴＩ、ショートサブフレーム、スロット等ともいう）のいずれか一方が適用されてもよいし、ロングサブフレーム及びショートサブフレームの双方が適用されてもよい。また、各セルで、２以上の時間長のサブフレームが適用されてもよい。
【０１３２】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１３３】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１３４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１３５】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１３６】
各ユーザ端末２０は、ＬＴＥ、ＬＴＥ−Ａなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【０１３７】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。また、端末間通信に用いられるサイドリンク（ＳＬ）にＳＣ−ＦＤＭＡを適用できる。
【０１３８】
無線通信システム１では、ＤＬチャネルとして、各ユーザ端末２０で共有されるＤＬデータチャネル（ＰＤＳＣＨ：Physical  Downlink  Shared  Channel、ＤＬ共有チャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータ、上位レイヤ制御情報、ＳＩＢ（System  Information  Block）などの少なくとも一つが伝送される。また、ＰＢＣＨにより、ＭＩＢ（Master  Information  Block）が伝送される。
【０１３９】
Ｌ１／Ｌ２制御チャネルは、ＤＬ制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨ、ＰＤＣＣＨ、ＥＰＤＣＣＨの少なくとも一つにより、ＰＵＳＣＨの再送制御情報（Ａ／Ｎ、ＨＡＲＱ−ＡＣＫ、ＨＡＲＱ−ＡＣＫビット又はＡ／Ｎコードブック等ともいう）を伝送できる。
【０１４０】
無線通信システム１では、ＵＬチャネルとして、各ユーザ端末２０で共有されるＵＬデータチャネル（ＰＵＳＣＨ：Physical  Uplink  Shared  Channel、ＵＬ共有チャネル等ともいう）、ＵＬ制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。ＰＤＳＣＨの再送制御情報（Ａ／Ｎ、ＨＡＲＱ−ＡＣＫ）チャネル状態情報（ＣＳＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１４１】
＜無線基地局＞
図１３は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。
【０１４２】
下りリンクにより無線基地局１０からユーザ端末２０に送信されるユーザデータは、上位局装置３０から伝送路インターフェース１０６を介してベースバンド信号処理部１０４に入力される。
【０１４３】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の処理）、スケジューリング、伝送フォーマット選択、チャネル符号化、レートマッチング、スクランブリング、逆高速フーリエ変換（ＩＦＦＴ：Inverse  Fast  Fourier  Transform）処理及びプリコーディング処理の少なくとも一つなどの送信処理が行われて送受信部１０３に転送される。また、下り制御信号に関しても、チャネル符号化及び／又は逆高速フーリエ変換などの送信処理が行われて、送受信部１０３に転送される。
【０１４４】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１４５】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４６】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１４７】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定、解放などの呼処理、無線基地局１０の状態管理、無線リソースの管理の少なくとも一つを行う。
【０１４８】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１４９】
また、送受信部１０３は、ＤＬ信号（例えば、ＤＣＩ（ＤＬデータをスケジューリングするＤＬアサインメント及び／又はＵＬデータをスケジューリングするＵＬグラント）、ＤＬデータ、ＤＬ参照信号の少なくとも一つ）を送信し、ＵＬ信号（例えば、ＵＬデータ、ＵＣＩ、ＵＬ参照信号の少なくとも一つ）を受信する。
【０１５０】
また、送受信部１０３は、ＤＬ信号の再送制御情報（ＡＣＫ／ＮＡＣＫ、Ａ／Ｎ、ＨＡＲＱ−ＡＣＫ、Ａ／Ｎコードブック等ともいう）を受信する。当該再送制御情報の単位は、例えば、ＣＢ毎、ＣＢＧ毎、ＴＢ毎又は一以上のＴＢ毎のいずれであってもよい（ＣＢ毎、ＣＢＧ毎、ＴＢ毎又は一以上のＴＢ毎のいずれでの単位でＡＣＫ又はＮＡＣＫが示されてもよい）。また、送受信部１０３は、ＤＬ信号及び／又はＵＬ信号の再送単位の設定情報（ＴＢベース又はＣＢＧベースを示す情報）を送信してもよい。
【０１５１】
図１４は、本実施の形態に係る無線基地局の機能構成の一例を示す図である。なお、図１４は、本実施の形態における特徴部分の機能ブロックを主に示しており、無線基地局１０は、無線通信に必要な他の機能ブロックも有しているものとする。図１４に示すように、ベースバンド信号処理部１０４は、制御部３０１と、送信信号生成部３０２と、マッピング部３０３と、受信信号処理部３０４と、測定部３０５とを備えている。
【０１５２】
制御部３０１は、無線基地局１０全体の制御を実施する。制御部３０１は、例えば、送信信号生成部３０２によるＤＬ信号の生成、マッピング部３０３によるＤＬ信号のマッピング、受信信号処理部３０４によるＵＬ信号の受信処理（例えば、復調など）及び測定部３０５による測定の少なくとも一つを制御する。
【０１５３】
具体的には、制御部３０１は、ユーザ端末２０からフィードバックされるチャネル品質識別子（ＣＱＩ）に基づいて、ＤＬ信号の変調方式及び／又はＴＢＳを決定する。制御部３０１は、当該ＴＢＳでＤＬ信号を符号化し、当該変調方式でＤＬ信号を変調するよう、送信信号生成部３０２を制御する。また、制御部３０１は、ＴＢＳが所定の閾値を超える場合、ＴＢＳを複数のＣＢに分割するコードブロック分割をＤＬ信号に適用してもよい。
【０１５４】
また、制御部３０１は、ＤＣＩの送信を制御してもよい。具体的には、制御部３０１は、初回送信及び再送との間で同一のＤＣＩフォーマット（フォーマット）又は異なるＤＣＩフォーマットを用いてもよい（第１の態様、図４及び５）。また、制御部３０１は、ＴＢをスケジューリングする場合とＣＢＧをスケジューリングする場合との間で同一のＤＣＩフォーマット（フォーマット）又は異なるＤＣＩフォーマットを用いてもよい（第２の態様、図６及び７）。
【０１５５】
また、制御部３０１は、再送原因を示す所定フィールド値を含むＤＣＩの送信を制御してもよい（第３の態様、図８及び９）。又は、制御部３０１は、再送原因が異なる複数の再送ＣＢＧ間において異なるＤＣＩフォーマットを用いてもよい（第３の態様、図１０）。また、制御部３０１は、再送原因が異なる複数の再送ＣＢＧを異なるタイミングでスケジューリングしてもよい（第３の態様、図１１）。
【０１５６】
また、制御部３０１は、ＣＢベースからＴＢベースの再送へのフォールバックを制御してもよい（第４の態様）。
【０１５７】
また、制御部３０１は、ＵＬ信号の受信処理（例えば、復調、復号など）を制御する。例えば、制御部３０１は、ＤＣＩ（ＵＬグラント）で指定したＭＣＳインデックスが示す変調方式に基づいて、ＵＬ信号を復調し、ＭＣＳインデックスが示すＴＢＳインデックスと割り当てリソースブロック数に基づいて、ＴＢＳを決定する。制御部３０１は、決定されたＵＬデータのＴＢＳに基づいて、当該ＴＢ内のＣＢ数及び各ＣＢのサイズを決定する。
【０１５８】
また、制御部３０１は、ユーザ端末２０からのＣＢＧ毎（又はＴＢ毎）のＡＣＫ又はＮＡＣＫを示す再送制御情報に基づいて、各ＣＢＧ（又は各ＴＢ）の再送を制御してもよい。
【０１５９】
制御部３０１は、本発明に係る技術分野での共通認識に基づいて説明されるコントローラ、制御回路又は制御装置から構成することができる。
【０１６０】
送信信号生成部３０２は、制御部３０１からの指示に基づいて、ＤＬ信号（ＤＬデータ、ＤＣＩ、ＤＬ参照信号、上位レイヤシグナリングによる制御情報の少なくとも一つを含む）を生成して、マッピング部３０３に出力してもよい。
【０１６１】
送信信号生成部３０２は、本発明に係る技術分野での共通認識に基づいて説明される信号生成器、信号生成回路又は信号生成装置とすることができる。
【０１６２】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【０１６３】
受信信号処理部３０４は、ユーザ端末２０から送信されるＵＬ信号の受信処理（例えば、デマッピング、復調、復号など）を行う。例えば、受信信号処理部３０４は、制御部３０１からの指示に従って、ＣＢ単位で復号処理を行ってもよい。
【０１６４】
受信信号処理部３０４は、ユーザ端末２０から送信されるＵＬ信号（例えば、ＵＬデータ信号、ＵＬ制御信号、ＵＬ参照信号を含む）に対して、受信処理（例えば、デマッピング、復調、復号など）を行う。具体的には、受信信号処理部３０４は、受信信号及び／又は受信処理後の信号を、測定部３０５に出力してもよい。また、受信信号処理部３０４は、制御部３０１から指示されるＵＬ制御チャネル構成に基づいて、ＵＣＩの受信処理を行う。
【０１６５】
測定部３０５は、例えば、ＵＬ参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０１６６】
＜ユーザ端末＞
図１５は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。
【０１６７】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１６８】
ベースバンド信号処理部２０４は、入力されたベースバンド信号に対して、ＦＦＴ処理、誤り訂正復号、再送制御の受信処理などの少なくとも一つを行う。ＤＬデータは、アプリケーション部２０５に転送される。アプリケーション部２０５は、物理レイヤ及びＭＡＣレイヤより上位のレイヤに関する処理などを行う。
【０１６９】
一方、ＵＬデータについては、アプリケーション部２０５からベースバンド信号処理部２０４に入力される。ベースバンド信号処理部２０４では、再送制御処理（例えば、ＨＡＲＱの処理）、チャネル符号化、レートマッチング、パンクチャ、離散フーリエ変換（ＤＦＴ：Discrete  Fourier  Transform）処理、ＩＦＦＴ処理などの少なくとも一つが行われて各送受信部２０３に転送される。ＵＣＩ（例えば、ＤＬ信号のＡ／Ｎ、チャネル状態情報（ＣＳＩ）、スケジューリング要求（ＳＲ）の少なくとも一つなど）についても、チャネル符号化、レートマッチング、パンクチャ、ＤＦＴ処理及びＩＦＦＴ処理などの少なくとも一つが行われて各送受信部２０３に転送される。
【０１７０】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１７１】
また、送受信部２０３は、ＤＬ信号（例えば、ＤＣＩ（ＤＬアサインメント及び／又はＵＬグラント）、ＤＬデータ、ＤＬ参照信号の少なくとも一つ）を受信し、ＵＬ信号（例えば、ＵＬデータ、ＵＣＩ、ＵＬ参照信号の少なくとも一つ）を送信する。
【０１７２】
また、送受信部２０３は、ＤＬ信号の再送制御情報を送信する。上述の通り、当該再送制御情報の単位は、例えば、ＣＢ毎、ＣＢＧ毎、ＴＢ毎又は一以上のＴＢ毎のいずれであってもよい（ＣＢ毎、ＣＢＧ毎、ＴＢ毎又は一以上のＴＢ毎のいずれでの単位でＡＣＫ又はＮＡＣＫが示されてもよい）。また、送受信部２０３は、ＤＬ信号及び／又はＵＬ信号の再送単位の設定情報（ＴＢベース又はＣＢＧベースを示す情報）を受信してもよい。
【０１７３】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１７４】
図１６は、本実施の形態に係るユーザ端末の機能構成の一例を示す図である。なお、図１６においては、本実施形態における特徴部分の機能ブロックを主に示しており、ユーザ端末２０は、無線通信に必要な他の機能ブロックも有しているものとする。図１６に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１７５】
制御部４０１は、ユーザ端末２０全体の制御を実施する。制御部４０１は、例えば、送信信号生成部４０２によるＵＬ信号の生成、マッピング部４０３によるＵＬ信号のマッピング、受信信号処理部４０４によるＤＬ信号の受信処理及び測定部４０５による測定の少なくとも一つを制御する。
【０１７６】
具体的には、制御部４０１は、ＤＣＩ（ＤＬアサインメント）に基づいて、ＤＬ信号の受信処理（例えば、復調、復号など）を制御する。例えば、制御部４０１は、ＤＣＩ内のＭＣＳインデックスが示す変調方式に基づいて、ＤＬ信号を復調するように、受信信号処理部４０４を制御してもよい。また、制御部４０１は、ＭＣＳインデックスが示すＴＢＳインデックスと割り当てリソースブロック数に基づいて、ＴＢＳを決定する。制御部４０１は、決定されたＤＬデータのＴＢＳに基づいて、当該ＴＢ内のＣＢ数及び各ＣＢのサイズを決定する。
【０１７７】
また、制御部４０１は、ＤＬ制御チャネル候補（サーチスペース）を監視（ブラインド復号）し、検出されたＤＣＩに基づいて、ＣＢＧ又はＴＢの受信を制御してもよい。具体的には、制御部４０１は、初回送信及び再送との間で同一のＤＣＩフォーマット（フォーマット）又は異なるＤＣＩフォーマットを想定してもよい（第１の態様、図４及び５）。また、制御部４０１は、ＴＢをスケジューリングする場合とＣＢＧをスケジューリングする場合との間で同一のＤＣＩフォーマット（フォーマット）又は異なるＤＣＩフォーマットを想定してもよい（第２の態様、図６及び７）。
【０１７８】
また、制御部４０１は、ＣＢＧの再送原因（復号失敗の原因又はＣＢＧエラーの原因等ともいう）に基づいて、再送ＣＢＧの復号を制御してもよい（第３の態様）。具体的には、制御部４０１は、再送ＣＢＧの再送原因が他の送信によるパンクチャである場合、ソフトバッファ内で格納されるＣＢＧを廃棄してもよい。一方、制御部４０１は、再送ＣＢＧの再送原因が他の送信によるパンクチャではない（非相関エラーである）場合、再送ＣＢＧとソフトバッファに格納されるＣＢＧとを合成してもよい。
【０１７９】
また、制御部４０１は、再送ＣＢＧをスケジューリングするＤＣＩ内の所定フィールド値に基づいて、上記再送原因を決定してもよい（第３の態様、図８及び９）。又は、制御部４０１は、再送ＣＢＧのスケジューリングに用いられるＤＣＩフォーマットに基づいて、再送ＣＢＧの再送原因を決定してもよい（第３の態様、図１０）。又は、制御部４０１は、再送ＣＢＧのスケジューリングタイミングに基づいて、再送ＣＢＧの再送原因を決定してもよい（第３の態様、図１１）。
【０１８０】
また、制御部４０１は、ＣＢベースからＴＢベースの再送へのフォールバックを制御してもよい（第４の態様）。具体的には、制御部４０１は、所定の条件が満たされる場合、再送がＴＢベースの再送であることを認識してもよい。
【０１８１】
また、制御部４０１は、ＤＬデータの再送制御情報の生成及び／又は送信を制御してもよい。具体的には、制御部４０１は、所定の単位（例えば、ＣＢ単位、又は、ＣＢＧ単位）毎にＡＣＫ又はＮＡＣＫを示す再送制御情報の生成及び／又は送信を制御してもよい。具体的には、制御部４０１は、各ＣＢの復調及び／又は復号（誤り訂正）の結果に基づいて、ＣＢＧ毎及び／又はＴＢ毎にＡＣＫ／ＮＡＣＫを示す再送制御情報の生成を制御してもよい。
【０１８２】
また、制御部４０１は、ＤＬ信号を構成するＴＢの復元を制御してもよい。具体的には、制御部４０１は、初回送信されたＣＢ又はＣＢＧ、及び／又は、再送されたＣＢ／ＣＢＧに基づいてＴＢを復元するよう制御してもよい。
【０１８３】
また、制御部４０１は、ＤＣＩ（ＤＬアサインメント）に含まれる再送ＣＢＧに関する情報に基づいて、再送ＣＢＧの受信処理を制御してもよい。例えば、制御部４０１は、ＤＣＩに含まれる再送ＣＢＧのＣＢＧインデックスに基づいて、当該ユーザ端末２０（のソフトバッファ）に格納されたデータと再送ＣＢＧとの合成処理を制御してもよい。
【０１８４】
また、制御部４０１は、ＤＣＩ（ＵＬグラント）に基づいて、ＵＬ信号の生成及び送信処理（例えば、符号化、変調、マッピングなど）を制御する。例えば、制御部４０１は、ＤＣＩ内のＭＣＳインデックスが示す変調方式に基づいて、ＵＬ信号を変調するように、送信信号生成部４０２を制御してもよい。また、制御部４０１は、ＭＣＳインデックスが示すＴＢＳインデックスと割り当てリソースブロック数に基づいて、ＴＢＳを決定し、当該ＴＢＳに基づいてＵＬ信号を符号化するように、送信信号生成部４０２を制御してもよい。
【０１８５】
制御部４０１は、本発明に係る技術分野での共通認識に基づいて説明されるコントローラ、制御回路又は制御装置から構成することができる。
【０１８６】
送信信号生成部４０２は、制御部４０１からの指示に基づいて、ＵＬ信号、ＤＬ信号の再送制御情報を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０１８７】
マッピング部４０３は、制御部４０１からの指示に基づいて、送信信号生成部４０２で生成されたＵＬ信号、ＤＬ信号の再送制御情報を無線リソースにマッピングして、送受信部２０３へ出力する。マッピング部４０３は、本発明に係る技術分野での共通認識に基づいて説明されるマッパー、マッピング回路又はマッピング装置とすることができる。
【０１８８】
受信信号処理部４０４は、ＤＬ信号の受信処理（例えば、デマッピング、復調、復号など）を行う。例えば、受信信号処理部４０４は、制御部４０１からの指示に従って、ＣＢ単位で復号処理を行い、各ＣＢの復号結果を制御部４０１に出力してもよい。
【０１８９】
受信信号処理部４０４は、無線基地局１０から受信した情報を、制御部４０１に出力する。受信信号処理部４０４は、例えば、ブロードキャスト情報、システム情報、ＲＲＣシグナリングなどの上位レイヤシグナリングによる上位レイヤ制御情報、Ｌ１／Ｌ２制御情報（例えば、ＵＬグラント、ＤＬアサインメント）などを、制御部４０１に出力する。
【０１９０】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１９１】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０１９２】
測定部４０５は、本発明に係る技術分野での共通認識に基づいて説明される信号処理器、信号処理回路又は信号処理装置、並びに、測定器、測定回路又は測定装置から構成することができる。
【０１９３】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１９４】
例えば、本実施の形態における無線基地局、ユーザ端末などは、本発明の無線通信方法の処理を行うコンピュータとして機能してもよい。図１７は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９５】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１９６】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０１９７】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び書き込みの少なくとも一つを制御することで実現される。
【０１９８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０１９９】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０２００】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０２０１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０２０２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０２０３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０４】
また、図１７に示す各装置は、情報を通信するためのバス１００７で接続される。バス１００７は、単一のバスで構成されてもよいし、装置間で異なるバスで構成されてもよい。
【０２０５】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０２０６】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２０７】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０２０８】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。また、スロットは、ニューメロロジーに基づく時間単位であってもよい。また、スロットは、複数のミニスロットを含んでもよい。各ミニスロットは、時間領域において一つ又は複数のシンボルで構成されてもよい。
【０２０９】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０２１０】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅及び／又は送信電力など）を、ＴＴＩ単位で割り当てるスケジューリングを行う。なお、ＴＴＩの定義はこれに限られない。ＴＴＩは、チャネル符号化されたデータパケット（トランスポートブロック）の送信時間単位であってもよいし、スケジューリング及び／又はリンクアダプテーションなどの処理単位となってもよい。なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、又はショートサブフレームなどと呼ばれてもよい。
【０２１２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペアなどと呼ばれてもよい。
【０２１３】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０２１４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボルの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１５】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０２１６】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０２１７】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１８】
また、情報、信号などは、上位レイヤから下位レイヤ、及び／又は下位レイヤから上位レイヤへ出力され得る。情報、信号などは、複数のネットワークノードを介して入出力されてもよい。
【０２１９】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０２２０】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２２１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０２２２】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０２２３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２２６】
本明細書で使用する「システム」及び「ネットワーク」という用語は、互換的に使用される。
【０２２７】
本明細書では、「基地局（ＢＳ：Base  Station）」、「無線基地局」、「ｅＮＢ」、「ｇＮＢ」、「「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２２８】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２２９】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２３０】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２３１】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び／又は「下り」は、「サイド」と読み替えられてもよい。例えば、上りチャネルは、サイドチャネルと読み替えられてもよい。
【０２３２】
同様に、本明細書におけるユーザ端末は、無線基地局で読み替えてもよい。この場合、上述のユーザ端末２０が有する機能を無線基地局１０が有する構成としてもよい。
【０２３３】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３４】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２３５】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２３６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３７】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２３８】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベースまたは別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３９】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２４０】
本明細書又は請求の範囲で「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２４１】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2018203406.tif 000003
【図２】
2018203406.tif 000004
【図３】
2018203406.tif 000005
【図４】
2018203406.tif 000006
【図５】
2018203406.tif 000007
【図６】
2018203406.tif 000008
【図７】
2018203406.tif 000009
【図８】
2018203406.tif 000010
【図９】
2018203406.tif 000011
【図１０】
2018203406.tif 000012
【図１１】
2018203406.tif 000013
【図１２】
2018203406.tif 000014
【図１３】
2018203406.tif 000015
【図１４】
2018203406.tif 000016
【図１５】
2018203406.tif 000017
【図１６】
2018203406.tif 000018
【図１７】
2018203406.tif 000019
【国際調査報告】
2018203406.tif 000020
2018203406.tif 000021
2018203406.tif 000022
2018203406.tif 000023